(57)【要約】【課題】  あらかじめ多重化されたＮ（Ｎ≧２）個の信号を同時に再生でき、かつＮ個のそれぞれ独立した信号を同時に再生し出力することのできる信号再生方法及び信号再生装置を提供する。【解決手段】  それぞれ独立したＮ個の符号化された信号を時分割で切り替え選択して入力し、該選択した入力信号毎に、入力信号を区別するためのＮ種類のストリーム情報のうち、該選択した入力信号に対応するストリーム情報を付加し、ストリーム情報が付加された各入力信号から該各入力信号のストリーム情報を検出し、前記各入力信号を、前記検出したストリーム情報に基づいて決定される各入力信号毎の復号化方法で復号化処理し、復号化処理された信号を出力する。【選択図】  図１
2005056550.tif 000002
【特許請求の範囲】
【請求項１】
多重化されたＮ（N≧２）個の符号化された信号、またはＮ個のうちいずれか１つの符号化された信号を復号化処理して再生する信号再生方法において、
それぞれが独立したＮ個の符号化された信号を時分割で切り替え選択して入力し、
該時分割で切り替え選択された入力信号毎に、入力信号を区別するためのＮ種類のストリーム情報のうち該入力信号毎に対応するストリーム情報を付加し、
前記ストリーム情報が付加された各入力信号から該各入力信号のストリーム情報を検出し、
前記各入力信号を、前記検出したストリーム情報によって決定される該各入力信号毎の復号化方法で復号化処理し、
該復号化処理された各入力信号を出力する、
ことを特徴とする信号再生方法。
【請求項２】
請求項１に記載の信号再生方法において、
前記Ｎ個の入力信号は、静止画または動画像のビデオ信号である、
ことを特徴とする信号再生方法。
【請求項３】
請求項１に記載の信号再生方法において、
前記Ｎ個の入力信号は、オーディオ信号である、
ことを特徴とする信号再生方法。
【請求項４】
請求項１に記載の信号再生方法において、
前記Ｎ個の入力信号は、静止画または動画像である少なくとも１つのビデオ信号と、少なくとも１つのオーディオ信号とを含む、
ことを特徴とする信号再生方法。
【請求項５】
請求項１に記載の信号再生方法において、
前記入力信号の切り替えは、選択した入力信号を所定のデータ量分入力した後、次の入力信号を選択するよう行なわれる、
ことを特徴とする信号再生方法。
【請求項６】
請求項５に記載の信号再生方法において、
前記所定のデータ量は、選択した入力信号が記録されている記録媒体へのアクセス単位で決定されるもので、所定回数アクセスして読み出されるデータ量である、
ことを特徴とする信号再生方法。
【請求項７】
請求項６に記載の信号再生方法において、
前記記録媒体は、光ディスク、光磁気ディスク、磁気ディスクあるいは半導体メモリである、
ことを特徴とする信号再生方法。
【請求項８】
請求項７に記載の信号再生方法において、
前記Ｎ個の各入力信号の切り替え選択は、前記記録媒体に記録された該Ｎ個の各入力信号を時分割で読み出すことによって行う、
ことを特徴とする信号再生方法。
【請求項９】
請求項５に記載の信号再生方法において、
前記Ｎ個の入力信号は外部から入力したものとし、
前記所定のデータ量は、入力パケットの倍数で決定するものとした、
ことを特徴とする信号再生方法。
【請求項１０】
請求項５に記載の信号再生方法において、
前記所定のデータ量は、選択した入力信号毎に決定されるもので、選択した入力信号の連続再生、または所定期間内での再生が保証されるデータ量である、
ことを特徴とする信号再生方法。
【請求項１１】
請求項１に記載の信号再生方法において、
前記入力信号は、所定の時間毎に切り替えられる、
ことを特徴とする信号再生方法。
【請求項１２】
請求項１に記載の信号再生方法において、
前記ストリーム情報は、前記入力信号がビデオ信号であるかオーディオ信号であるかを示す情報である、
ことを特徴とする信号再生方法。
【請求項１３】
請求項１に記載の信号再生方法において、
前記ストリーム情報は、前記入力信号の符号化方法を示す情報である、
ことを特徴とする信号再生方法。
【請求項１４】
請求項１に記載の信号再生方法において、
前記ストリーム情報は、前記入力信号の出力タイミングを示す時間情報を含む、
ことを特徴とする信号再生方法。
【請求項１５】
請求項１に記載の信号再生方法において、
前記Ｎ個のうちのいずれか１つの符号化された信号のみ、またはあらかじめ多重化されたＮ個の信号を入力する場合、前記ストリーム情報を付加することなく、そのまま復号化処理を行う、
ことを特徴とする信号再生方法。
【請求項１６】
多重化されたＮ（Ｎ≧２）個の符号化された信号、またはＮ個のうちいずれか１つの符号化された信号を復号化処理して再生する信号再生装置において、
それぞれが独立したＮ個の符号化された信号を、後述するデコーダ制御部からの制御信号により時分割で切り替え選択する信号切り替え部と、
前記信号切り替え部にて時分割に切り替え選択した入力信号毎に、後述するデコーダ制御部からの識別信号により、入力信号を区別するためのＮ種類のストリーム情報のうち該入力信号毎に対応するストリーム情報を付加するストリーム情報付加部と、
前記ストリーム情報付加部により前記ストリーム情報が付加された各入力信号のストリーム情報を検出し、該各入力信号を、前記検出したストリーム情報に基づいてそれぞれ決定される復号化方法で復号化するよう分割出力するデータ分割部と、
前記データ分割部から分割出力された各入力信号それぞれに対応した復号化方法で復号化処理を行なうＮ個の復号化部と、
前記Ｎ個の復号化部でそれぞれ復号化処理された復号化信号を出力するＮ個の出力部と、
前記信号切り替え部と、前記ストリーム情報付加部とを制御するとともに、前記データ分割部に何れのデータ配列が入力されるかを示す入力信号情報を該データ分割部に出力するデコーダ制御部とを備えた、
ことを特徴とする信号再生装置。
【請求項１７】
請求項１６に記載の信号再生装置において、
前記Ｎ個の入力信号は、静止画または動画像のビデオ信号である、
ことを特徴とする信号再生装置。
【請求項１８】
請求項１６に記載の信号再生装置において、
前記Ｎ個の入力信号は、オーディオ信号である、
ことを特徴とする信号再生装置。
【請求項１９】
請求項１６に記載の信号再生装置において、
前記Ｎ個の入力信号は、静止画または動画像である少なくとも１つのビデオ信号と、少なくとも１つのオーディオ信号とを含む、
ことを特徴とする信号再生装置。
【請求項２０】
請求項１６に記載の信号再生装置において、
前記デコーダ制御部は、選択した入力信号を所定のデータ量分入力した後、次の入力信号を選択するよう前記信号切り替え部を制御する、
ことを特徴とする信号再生装置。
【請求項２１】
請求項２０に記載の信号再生装置において、
前記所定のデータ量は、選択した入力信号が記録されている記録媒体へのアクセス単位で決定されるもので、所定回数アクセスして読み出されるデータ量である、
ことを特徴とする信号再生装置。
【請求項２２】
請求項２１に記載の信号再生装置において、
前記記録媒体は、光ディスク、光磁気ディスク、磁気ディスクあるいは半導体メモリである、
ことを特徴とする信号再生装置。
【請求項２３】
請求項２２に記載の信号再生装置において、
前記信号切り替え部は、前記記録媒体に記録された該Ｎ個の各入力信号を時分割で読み出すものである、
ことを特徴とする信号再生装置。
【請求項２４】
請求項２０に記載の信号再生装置において、
前記Ｎ個の入力信号は外部から入力したものとし、
前記所定のデータ量は、入力パケットの倍数で決定するものとした、
ことを特徴とする信号再生装置。
【請求項２５】
請求項２０に記載の信号再生装置において、
前記所定のデータ量は、選択した入力信号毎に決定されるもので、選択した入力信号の連続再生、または所定期間内での再生が保証されるデータ量である、
ことを特徴とする信号再生装置。
【請求項２６】
請求項１６に記載の信号再生装置において、
前記デコーダ制御部は、入力信号が所定時間毎に切り替えられるように、前記信号切り替え部を制御する、
ことを特徴とする信号再生装置。
【請求項２７】
請求項１６に記載の信号再生装置において、
前記ストリーム情報は、前記入力信号がビデオ信号であるかオーディオ信号であるかを示す情報である、
ことを特徴とする信号再生装置。
【請求項２８】
請求項１６に記載の信号再生装置において、
前記ストリーム情報は、前記入力信号の符号化方法を示す情報である、
ことを特徴とする信号再生装置。
【請求項２９】
請求項１６に記載の信号再生装置において、
前記ストリーム情報は、前記出力部への出力タイミングを示す時間情報を含む、
ことを特徴とする信号再生装置。
【請求項３０】
請求項１６に記載の信号再生装置において、
前記Ｎ個のうちいずれか１つの符号化された信号のみ、またはあらかじめ多重化されたＮ個の信号を入力する場合、
前記デコーダ制御部は、
前記信号切り替え部を該入力信号を入力するように切り替え制御し、前記ストリーム情報付加部では前記ストリーム情報を付加せずに前記データ分割部へ出力するよう制御するとともに、前記データ配列が該１つの信号のみ、またはあらかじめ多重化された信号であるとして前記入力信号情報を前記データ分割部に出力する、
ことを特徴とする信号再生装置。
【発明の詳細な説明】
【技術分野】
【０００１】
本発明は、信号再生方法及び信号再生装置に関し、特に、任意のビデオ信号や任意のオーディオ信号を含む複数の信号を同時に再生し出力するものに関するものである。
【背景技術】
【０００２】
ビデオ信号やオーディオ信号は、圧縮あるいは非圧縮のデジタル信号として、光ディスクや磁気ディスク、半導体メモリなどに記録される。ここでは、これらの記録媒体に記録された信号を再生する従来の信号再生装置のデコーダの動作について、図１０、及び図１１を用いて説明する。
【０００３】
図１０は、従来の信号再生装置のデコーダのブロック図である。
デコーダ９００は、外部からの入力信号情報に基づいて入力信号をビデオ信号とオーディオ信号とに分割するデータ分割部９０２と、データ分割部９０２からのビデオ信号を格納するビデオバッファ９０３と、データ分割部９０２からのオーディオ信号を格納するオーディオバッファ９０４と、ビデオバッファ９０３に格納されたビデオ信号を復号化処理するビデオ復号化部９０５と、オーディオバッファ９０４に格納されたオーディオ信号を復号化処理するオーディオ復号化部９０６と、ビデオ復号化部９０５にて復号化処理されたビデオ信号を出力するビデオ出力部９０７と、オーディオ復号化部９０６にて復号化処理されたオーディオ信号を出力するオーディオ出力部９０８とから構成される。
【０００４】
図１１は、デコーダ９００に入力される入力信号のデータ配列の例を示す模式図である。入力信号のデータ配列は、図１１の（１）ないし（３）に示されるようなものがあり、何れのデータ配列が入力されるかを示す入力信号情報が、外部からデコーダ９００に通知されるものとする。
【０００５】
以下に、デコーダの動作について説明する。
まず、図１１の（１）に示されるビデオ信号が入力された場合について説明する。
このとき、デコーダ９００には、入力信号情報により、ビデオエレメンタリストリームが入力されると通知される。データ分割部９０２は、入力信号すべてをビデオ復号化部９０５へ出力する。ビデオ復号化部９０５は、入力信号を復号化処理し、ビデオ出力部９０７に出力する。ビデオ出力部９０７からは復号化されたビデオ信号が出力される。つまり、デコーダ９００からはビデオ信号のみが出力される。
【０００６】
次に、図１１の（２）に示されるオーディオ信号が入力された場合について説明する。
このとき、デコーダ９００には、入力信号情報により、オーディオエレメンタリストリームが入力されると通知される。データ分割部９０２は、入力信号すべてをオーディオ復号化部９０６に出力する。オーディオ復号化部９０６は、入力信号を復号化処理し、オーディオ出力部９０８に出力する。オーディオ出力部９０８からは復号化されたオーディオ信号が出力される。つまり、デコーダ９００からはオーディオ信号のみが出力される。
【０００７】
次に、図１１の（３）に示されるビデオ信号とオーディオ信号とが多重化された信号が入力された場合について説明する。
このとき、デコーダ９００には、入力信号情報により、多重化されたストリームが入力されると通知される。データ分割部９０２は、入力信号をビデオ信号とオーディオ信号とに分割し、ビデオ信号はビデオ復号化部９０５に、オーディオ信号はオーディオ復号化部９０６にそれぞれ出力する。例えば、ＭＰＥＧシステムストリームの場合、ビデオとオーディオとはパックと呼ばれる単位に分割され、多重化されている。各パックは、パックヘッダから始まっている。データ分割部９０２は、パックヘッダに基づいて、そのパックがビデオ信号かオーディオ信号かを判別する。ビデオ復号化部９０５及びオーディオ復号化部９０６は、それぞれ入力信号を復号化処理し、ビデオ出力部９０７及びオーディオ出力部９０８に出力する。ビデオ出力部９０７からは復号化されたビデオ信号が、オーディオ出力部９０８からは復号化されたオーディオ信号がそれぞれ出力される。つまり、ビデオ信号とオーディオ信号とが同時に再生され出力される。
【０００８】
このように、従来の信号再生装置は、ビデオ信号とオーディオ信号とがあらかじめ多重化されたシステムストリームを再生したときにのみ、オーディオとビデオとを同時に再生し出力することが可能であり、あらかじめ多重化された信号でなければ、同時にＮ（Ｎ≧２）個の信号を再生し出力することはできない。
【０００９】
また、Ｎ（Ｎ≧２）個の信号を同時に再生し出力する方法として、それぞれ独立したビデオデコーダとオーディオデコーダとを持つ再生方法が提案されている（特許文献１参照）。
【特許文献１】特開平１１−１７７９３４号公報
【発明の開示】
【発明が解決しようとする課題】
【００１０】
しかしながら、上述のように、従来の信号再生装置では、あらかじめ多重化された信号でなければ、同時にＮ（Ｎ≧２）個の信号を再生し出力することはできなかった。すなわち、それぞれが独立したオーディオ信号と、ビデオ信号とを同時に再生することができないという問題があった。
また、特許文献１のようにそれぞれ独立したデコーダを備えた場合、あらかじめ多重化されているＮ個の信号を同時に再生できない、という問題があった。
【００１１】
本発明は、上述のような従来の問題点を解決するためになされたものであり、あらかじめ多重化されたＮ（Ｎ≧２）個の信号を同時に再生し出力することができ、かつ、Ｎ個の独立した信号を同時に再生し出力することのできる信号再生方法及び信号再生装置を提供することを目的とする。
【課題を解決するための手段】
【００１２】
本発明の請求項１に係る信号再生方法は、多重化されたＮ（N≧２）個の符号化された信号、またはＮ個のうちいずれか１つの符号化された信号を復号化処理して再生する信号再生方法において、それぞれが独立したＮ個の符号化された信号を時分割で切り替え選択して入力し、該時分割で切り替え選択された入力信号毎に、入力信号を区別するためのＮ種類のストリーム情報のうち該入力信号毎に対応するストリーム情報を付加し、前記ストリーム情報が付加された各入力信号から該各入力信号のストリーム情報を検出し、前記各入力信号を、前記検出したストリーム情報によって決定される該各入力信号毎の復号化方法で復号化処理し、該復号化処理された各入力信号を出力するものである。
【００１３】
本発明の請求項２に係る信号再生方法は、請求項１に記載の信号再生方法において、前記Ｎ個の入力信号は、静止画または動画像のビデオ信号であるものとしたものである。
【００１４】
本発明の請求項３に係る信号再生方法は、請求項１に記載の信号再生方法において、前記Ｎ個の入力信号は、オーディオ信号であるものとしたものである。
【００１５】
本発明の請求項４に係る信号再生方法は、請求項１に記載の信号再生方法において、前記Ｎ個の入力信号は、静止画または動画像である少なくとも１つのビデオ信号と、少なくとも１つのオーディオ信号とを含むものとしたものである。
【００１６】
本発明の請求項５に係る信号再生方法は、請求項１に記載の信号再生方法において、前記入力信号の切り替えは、選択した入力信号を所定のデータ量分入力した後、次の入力信号を選択するよう行なわれるものとしたものである。
【００１７】
本発明の請求項６に係る信号再生方法は、請求項５に記載の信号再生方法において、前記所定のデータ量は、選択した入力信号が記録されている記録媒体へのアクセス単位で決定されるもので、所定回数アクセスして読み出されるデータ量であるものとしたものである。
【００１８】
本発明の請求項７に係る信号再生方法は、請求項６に記載の信号再生方法において、前記記録媒体が、光ディスク、光磁気ディスク、磁気ディスクあるいは半導体メモリであるものとしたものである。
【００１９】
本発明の請求項８に係る信号再生方法は、請求項７に記載の信号再生方法において、前記Ｎ個の各入力信号の切り替え選択は、前記記録媒体に記録された該Ｎ個の各入力信号を時分割で読み出すことによって行うものである。
【００２０】
本発明の請求項９に係る信号再生方法は、請求項５に記載の信号再生方法において、前記Ｎ個の入力信号は外部から入力したものとし、前記所定のデータ量は、入力パケットの倍数で決定するものとしたものである。
【００２１】
本発明の請求項１０に係る信号再生方法は、請求項５に記載の信号再生方法において、前記所定のデータ量は、選択した入力信号毎に決定されるもので、選択した入力信号の連続再生、または所定期間内での再生が保証されるデータ量であるものとしたものである。
【００２２】
本発明の請求項１１に係る信号再生方法は、請求項１に記載の信号再生方法において、前記入力信号は、所定の時間毎に切り替えられるものとしたものである。
【００２３】
本発明の請求項１２に係る信号再生方法は、請求項１に記載の信号再生方法において、前記ストリーム情報は、前記入力信号がビデオ信号であるかオーディオ信号であるかを示す情報であるものとしたものである。
【００２４】
本発明の請求項１３に係る信号再生方法は、請求項１に記載の信号再生方法において、前記ストリーム情報は、前記入力信号の符号化方法を示す情報であるものとしたものである。
【００２５】
本発明の請求項１４に係る信号再生方法は、請求項１に記載の信号再生方法において、前記ストリーム情報は、前記入力信号の出力タイミングを示す時間情報を含むものとしたものである。
【００２６】
本発明の請求項１５に係る信号再生方法は、請求項１に記載の信号再生方法において、前記Ｎ個のうちのいずれか１つの符号化された信号のみ、またはあらかじめ多重化されたＮ個の信号を入力する場合、前記ストリーム情報を付加することなく、そのまま復号化処理を行うものである、
【００２７】
本発明の請求項１６に係る信号再生装置は、多重化されたＮ（Ｎ≧２）個の符号化された信号、またはＮ個のうちいずれか１つの符号化された信号を復号化処理して再生する信号再生装置において、それぞれが独立したＮ個の符号化された信号を、後述するデコーダ制御部からの制御信号により時分割で切り替え選択する信号切り替え部と、前記信号切り替え部にて時分割に切り替え選択した入力信号毎に、後述するデコーダ制御部からの識別信号により、入力信号を区別するためのＮ種類のストリーム情報のうち該入力信号毎に対応するストリーム情報を付加するストリーム情報付加部と、前記ストリーム情報付加部により前記ストリーム情報が付加された各入力信号のストリーム情報を検出し、該各入力信号を、前記検出したストリーム情報に基づいてそれぞれ決定される復号化方法で復号化するよう分割出力するデータ分割部と、前記データ分割部から分割出力された各入力信号それぞれに対応した復号化方法で復号化処理を行なうＮ個の復号化部と、前記Ｎ個の復号化部でそれぞれ復号化処理された復号化信号を出力するＮ個の出力部と、前記信号切り替え部と、前記ストリーム情報付加部とを制御するとともに、前記データ分割部に何れのデータ配列が入力されるかを示す入力信号情報を該データ分割部に出力するデコーダ制御部とを備えたものである。
【００２８】
本発明の請求項１７に係る信号再生装置は、請求項１６に記載の信号再生装置において、前記Ｎ個の入力信号は、静止画または動画像のビデオ信号であるものとしたものである。
【００２９】
本発明の請求項１８に係る信号再生装置は、請求項１６に記載の信号再生装置において、前記Ｎ個の入力信号は、オーディオ信号であるものとしたものである。
【００３０】
本発明の請求項１９に係る信号再生装置は、請求項１６に記載の信号再生装置において、前記Ｎ個の入力信号は、静止画または動画像である少なくとも１つのビデオ信号と、少なくとも１つのオーディオ信号とを含むものとしたものである。
【００３１】
本発明の請求項２０に係る信号再生装置は、請求項１６に記載の信号再生装置において、前記デコーダ制御部は、選択した入力信号を所定のデータ量分入力した後、次の入力信号を選択するよう前記信号切り替え部を制御するものとしたものである。
【００３２】
本発明の請求項２１に係る信号再生装置は、請求項２０に記載の信号再生装置において、前記所定のデータ量は、選択した入力信号が記録されている記録媒体へのアクセス単位で決定されるもので、所定回数アクセスして読み出されるデータ量であるものとしたものである。
【００３３】
本発明の請求項２２に係る信号再生装置は、請求項２１に記載の信号再生装置において、前記記録媒体は、光ディスク、光磁気ディスク、磁気ディスクあるいは半導体メモリであるものとしたものである。
【００３４】
本発明の請求項２３に係る信号再生装置は、請求項２２に記載の信号再生装置において、前記信号切り替え部は、前記記録媒体に記録された該Ｎ個の各入力信号を時分割で読み出すものである。
【００３５】
本発明の請求項２４に係る信号再生装置は、請求項２０に記載の信号再生装置において、前記Ｎ個の入力信号は外部から入力したものとし、前記所定のデータ量は、入力パケットの倍数で決定するものとしたものである。
【００３６】
本発明の請求項２５に係る信号再生装置は、請求項２０に記載の信号再生装置において、前記所定のデータ量は、選択した入力信号毎に決定されるもので、選択した入力信号の連続再生、または所定期間内での再生が保証されるデータ量であるものとしたものである。
【００３７】
本発明の請求項２６に係る信号再生装置は、請求項１６に記載の信号再生装置において、前記デコーダ制御部は、入力信号が所定時間毎に切り替えられるように、前記信号切り替え部を制御するものとしたものである。
【００３８】
本発明の請求項２７に係る信号再生装置は、請求項１６に記載の信号再生装置において、前記ストリーム情報は、前記入力信号がビデオ信号であるかオーディオ信号であるかを示す情報であるものとしたものである。
【００３９】
本発明の請求項２８に係る信号再生装置は、請求項１６に記載の信号再生装置において、前記ストリーム情報は、前記入力信号の符号化方法を示す情報であるものとしたものである。
【００４０】
本発明の請求項２９に係る信号再生装置は、請求項１６に記載の信号再生装置において、前記ストリーム情報は、前記出力部への出力タイミングを示す時間情報を含むものとしたものである。
【００４１】
本発明の請求項３０に係る信号再生装置は、請求項１６に記載の信号再生装置において、前記Ｎ個のうちいずれか１つの符号化された信号のみ、またはあらかじめ多重化されたＮ個の信号を入力する場合、前記デコーダ制御部は、前記信号切り替え部を該入力信号を入力するように切り替え制御し、前記ストリーム情報付加部では前記ストリーム情報を付加せずに前記データ分割部へ出力するよう制御するとともに、前記データ配列が該１つの信号のみ、またはあらかじめ多重化された信号であるとして前記入力信号情報を前記データ分割部に出力するものである。
【発明の効果】
【００４２】
本発明の請求項１に係る信号再生方法は、多重化されたＮ（N≧２）個の符号化された信号、またはＮ個のうちいずれか１つの符号化された信号を復号化処理して再生する信号再生方法において、それぞれが独立したＮ個の符号化された信号を時分割で切り替え選択して入力し、該時分割で切り替え選択された入力信号毎に、入力信号を区別するためのＮ種類のストリーム情報のうち該入力信号毎に対応するストリーム情報を付加し、前記ストリーム情報が付加された各入力信号から該各入力信号のストリーム情報を検出し、前記各入力信号を、前記検出したストリーム情報によって決定される該各入力信号毎の復号化方法で復号化処理し、該復号化処理された各入力信号を出力するので、あらかじめ多重化されたＮ個の信号を同時に再生し出力でき、かつＮ個の独立した信号を同時に再生し出力することができるという効果がある。
【００４３】
本発明の請求項２に係る信号再生方法は、請求項１に記載の信号再生方法において、前記Ｎ個の入力信号は、静止画または動画像のビデオ信号であるものとしたので、Ｎ個の独立したビデオ信号を同時に再生し出力することができるという効果がある。
【００４４】
本発明の請求項３に係る信号再生方法は、請求項１に記載の信号再生方法において、前記Ｎ個の入力信号は、オーディオ信号であるものとしたので、Ｎ個の独立したオーディオ信号を同時に再生し出力することができるという効果がある。
【００４５】
本発明の請求項４に係る信号再生方法は、請求項１に記載の信号再生方法において、前記Ｎ個の入力信号は、静止画または動画像である少なくとも１つのビデオ信号と、少なくとも１つのオーディオ信号とを含むので、ビデオ信号及びオーディオ信号からなるＮ個の独立した信号を同時に再生し出力することができるという効果がある。
【００４６】
本発明の請求項５に係る信号再生方法は、請求項１に記載の信号再生方法において、前記入力信号の切り替えは、選択した入力信号を所定のデータ量分入力した後、次の入力信号を選択するよう行なわれるものとしたので、Ｎ個の信号の入力を保証することができるという効果がある。
【００４７】
本発明の請求項６に係る信号再生方法は、請求項５に記載の信号再生方法において、前記所定のデータ量は、選択した入力信号が記録されている記録媒体へのアクセス単位で決定されるもので、所定回数アクセスして読み出されるデータ量であるものとしたので、Ｎ個の信号の入力を保証することができるという効果がある。
【００４８】
本発明の請求項７に係る信号再生方法は、請求項６に記載の信号再生方法において、前記記録媒体が、光ディスク、光磁気ディスク、磁気ディスクあるいは半導体メモリであるものとしたので、入力信号が記録されている媒体の種類に関わらず、Ｎ個の独立した入力信号を同時に再生し出力することができるという効果がある。
【００４９】
本発明の請求項８に係る信号再生方法は、請求項７に記載の信号再生方法において、前記Ｎ個の各入力信号の切り替え選択は、前記記録媒体に記録された該Ｎ個の各入力信号を時分割で読み出すことによって行うので、記録媒体に記録されたそれぞれ独立したＮ個の入力信号を同時に出力することができる効果がある。
【００５０】
また、本発明の請求項９に係る信号再生方法は、請求項５に記載の信号再生方法において、前記Ｎ個の入力信号は外部から入力したものとし、前記所定のデータ量は、入力パケットの倍数で決定するものとしたので、外部から入力したそれぞれ独立したＮ個の入力信号を同時に出力することができる効果がある。
【００５１】
本発明の請求項１０に係る信号再生方法は、請求項５に記載の信号再生方法において、前記所定のデータ量は、選択した入力信号毎に決定されるもので、選択した入力信号の連続再生、または所定期間内での再生が保証されるデータ量であるものとしたので、選択した入力信号の連続再生を保証することができるという効果がある。
【００５２】
本発明の請求項１１に係る信号再生方法は、請求項１に記載の信号再生方法において、前記入力信号は、所定の時間毎に切り替えられるものとしたので、Ｎ個の信号の入力を保証することができるという効果がある。
【００５３】
本発明の請求項１２に係る信号再生方法は、請求項１に記載の信号再生方法において、前記ストリーム情報は、前記入力信号がビデオ信号であるかオーディオ信号であるかを示す情報であるものとしたので、Ｎ個の独立したビデオ信号やオーディオ信号を同時に再生し出力することができるという効果がある。
【００５４】
本発明の請求項１３に係る信号再生方法は、請求項１に記載の信号再生方法において、前記ストリーム情報は、前記入力信号の符号化方法を示す情報であるものとしたので、Ｎ個の独立した信号を同時に再生し出力することができるという効果がある。
【００５５】
本発明の請求項１４に係る信号再生方法は、請求項１に記載の信号再生方法において、前記ストリーム情報は、前記入力信号の出力タイミングを示す時間情報を含むものとしたので、別々に記録された信号を同期再生することができるという効果がある。
【００５６】
本発明の請求項１５に係る信号再生方法は、請求項１に記載の信号再生方法において、前記Ｎ個のうちのいずれか１つの符号化された信号のみ、またはあらかじめ多重化されたＮ個の信号を入力する場合、前記ストリーム情報を付加することなく、そのまま復号化処理を行うので、前記１つのみの信号、及びあらかじめ多重化されたＮ個の信号を再生することができる効果がある。
【００５７】
本発明の請求項１６に係る信号再生装置は、多重化されたＮ（Ｎ≧２）個の符号化された信号、またはＮ個のうちいずれか１つの符号化された信号を復号化処理して再生する信号再生装置において、それぞれが独立したＮ個の符号化された信号を、後述するデコーダ制御部からの制御信号により時分割で切り替え選択する信号切り替え部と、前記信号切り替え部にて時分割に切り替え選択した入力信号毎に、後述するデコーダ制御部からの識別信号により、入力信号を区別するためのＮ種類のストリーム情報のうち該入力信号毎に対応するストリーム情報を付加するストリーム情報付加部と、前記ストリーム情報付加部により前記ストリーム情報が付加された各入力信号のストリーム情報を検出し、該各入力信号を、前記検出したストリーム情報に基づいてそれぞれ決定される復号化方法で復号化するよう分割出力するデータ分割部と、前記データ分割部から分割出力された各入力信号それぞれに対応した復号化方法で復号化処理を行なうＮ個の復号化部と、前記Ｎ個の復号化部でそれぞれ復号化処理された復号化信号を出力するＮ個の出力部と、前記信号切り替え部と、前記ストリーム情報付加部とを制御するとともに、前記データ分割部に何れのデータ配列が入力されるかを示す入力信号情報を該データ分割部に出力するデコーダ制御部とを備えたので、あらかじめ多重化されたＮ個の信号を同時に再生でき、かつＮ個の独立した信号を同時に再生し出力することができるという効果がある。
【００５８】
本発明の請求項１７に係る信号再生装置は、請求項１６に記載の信号再生装置において、前記Ｎ個の入力信号は、静止画または動画像のビデオ信号であるものとしたので、Ｎ個の独立したビデオ信号を同時に再生し出力することができるという効果がある。
【００５９】
本発明の請求項１８に係る信号再生装置は、請求項１６に記載の信号再生装置において、前記Ｎ個の入力信号は、オーディオ信号であるものとしたので、Ｎ個の独立したオーディオ信号を同時に再生し出力することができるという効果がある。
【００６０】
本発明の請求項１９に係る信号再生装置は、請求項１６に記載の信号再生装置において、前記Ｎ個の入力信号は、静止画または動画像である少なくとも１つのビデオ信号と、少なくとも１つのオーディオ信号とを含むものとしたのでので、ビデオ信号及びオーディオ信号からなるＮ個の独立した信号を同時に再生し出力することができるという効果がある。
【００６１】
本発明の請求項２０に係る信号再生装置は、請求項１６に記載の信号再生装置において、前記デコーダ制御部は、選択した入力信号を所定のデータ量分入力した後、次の入力信号を選択するよう前記信号切り替え部を制御するものとしたので、Ｎ個の信号の入力を保証することができるという効果がある。
【００６２】
本発明の請求項２１に係る信号再生装置は、請求項２０に記載の信号再生装置において、前記所定のデータ量は、選択した入力信号が記録されている記録媒体へのアクセス単位で決定されるもので、所定回数アクセスして読み出されるデータ量であるものとしたので、Ｎ個の信号の入力を保証することができるという効果がある。
【００６３】
本発明の請求項２２に係る信号再生装置は、請求項２１に記載の信号再生装置において、前記記録媒体は、光ディスク、光磁気ディスク、磁気ディスクあるいは半導体メモリであるものとしたので、入力信号が記録されている媒体の種類に関わらず、Ｎ個の独立した入力信号を同時に再生し出力することができるという効果がある。
【００６４】
本発明の請求項２３に係る信号再生装置は、請求項２２に記載の信号再生装置において、前記信号切り替え部は、前記記録媒体に記録された該Ｎ個の各入力信号を時分割で読み出すものであるので、記録媒体に記録されたそれぞれ独立したＮ個の入力信号を同時に出力することができる効果がある。
【００６５】
本発明の請求項２４に係る信号再生装置は、請求項２０に記載の信号再生装置において、前記Ｎ個の入力信号は外部から入力したものとし、前記所定のデータ量は、入力パケットの倍数で決定するものとしたので、外部から入力したそれぞれ独立したＮ個の入力信号を同時に出力することができる効果がある。
【００６６】
本発明の請求項２５に係る信号再生装置は、請求項２０に記載の信号再生装置において、前記所定のデータ量は、選択した入力信号毎に決定されるもので、選択した入力信号の連続再生、または所定期間内での再生が保証されるデータ量であるものとしたので、選択した入力信号の連続再生を保証することができるという効果がある。
【００６７】
本発明の請求項２６に係る信号再生装置は、請求項１６に記載の信号再生装置において、
前記デコーダ制御部は、入力信号が所定時間毎に切り替えられるように、前記信号切り替え部を制御するので、Ｎ個の信号の入力を保証することができるという効果がある。
【００６８】
本発明の請求項２７に係る信号再生装置は、請求項１６に記載の信号再生装置において、前記ストリーム情報は、前記入力信号がビデオ信号であるかオーディオ信号であるかを示す情報であるものとしたので、Ｎ個の独立したビデオ信号やオーディオ信号を同時に再生し出力することができるという効果がある。
【００６９】
本発明の請求項２８に係る信号再生装置は、請求項１６に記載の信号再生装置において、前記ストリーム情報は、前記入力信号の符号化方法を示す情報であるものとしたので、Ｎ個の独立した信号を同時に再生し出力することができるという効果がある。
【００７０】
本発明の請求項２９に係る信号再生装置は、請求項１６に記載の信号再生装置において、前記ストリーム情報は、前記出力部への出力タイミングを示す時間情報を含むものとしたので、別々に記録された信号を同期再生することができるという効果がある。
【００７１】
本発明の請求項３０に係る信号再生装置は、請求項１６に記載の信号再生装置において、前記Ｎ個のうちいずれか１つの符号化された信号のみ、またはあらかじめ多重化されたＮ個の信号を入力する場合、前記デコーダ制御部は、前記信号切り替え部を該入力信号を入力するように切り替え制御し、前記ストリーム情報付加部では前記ストリーム情報を付加せずに前記データ分割部へ出力するよう制御するとともに、前記データ配列が該１つの信号のみ、またはあらかじめ多重化された信号であるとして前記入力信号情報を前記データ分割部に出力するので、前記１つのみの信号、及びあらかじめ多重化されたＮ個の信号を再生することができる効果がある。
【発明を実施するための最良の形態】
【００７２】
以下、本発明の実施の形態について、図１ないし図９を用いて説明する。
（実施の形態１）
図１は、本発明の実施の形態１に係る信号再生装置のブロック図であり、図２は、本発明の実施の形態１に係る信号再生装置のスイッチに入力される信号のデータ配列の例を示す模式図である。
【００７３】
図１に示されるように、本実施の形態１に係る信号再生装置は、入力信号１を格納するバッファ１１１と、入力信号２を格納するバッファ１１２と、バッファ１１１からの入力信号１、及びバッファ１１２からの入力信号２のいずれか一方を切り替え選択するスイッチ１０１と、スイッチ１０１で切り替え選択された入力信号毎に、入力信号１及び入力信号２を区別するためのストリーム情報を付加するストリーム情報付加部１０２と、ストリーム情報付加部１０２でストリーム情報を付加された信号をデコードするデコーダ１００と、スイッチ１０１、ストリーム情報付加部１０２、及びデコーダ１００を制御するデコーダ制御部１０３とから構成される。なお、本実施の形態１において、入力信号１はビデオ信号、入力信号２はオーディオ信号であるとする。
【００７４】
また、デコーダ１００は、ストリーム情報付加部１０２によりストリーム情報が付加された入力信号を入力とし、該ストリーム情報が付加された各入力信号のストリーム情報を検出し、各入力信号がストリーム情報によって決定される該各入力信号の復号化方法でそれぞれ復号化するよう該各入力信号をビデオ信号とオーディオ信号とに分割出力するデータ分割部１０４と、データ分割部１０４から出力されたビデオ信号を格納するビデオバッファ１０５と、データ分割部１０４からのオーディオ信号を格納するオーディオバッファ１０６と、ビデオ信号を復号化処理するビデオ復号化部１０７と、オーディオ信号を復号化処理するオーディオ復号化部１０８と、復号化処理されたビデオ信号を出力するビデオ出力部１０９と、オーディオ復号化部１０８にて復号化処理されたオーディオ信号を出力するオーディオ出力部１１０とから構成される。なお、本実施の形態１において、復号化部をビデオ復号化部、及びオーディオ復号化部としたが、その数、その種類は、入力信号に応じて設けるとよい。
【００７５】
スイッチ１０１には、図２に示されるような、入力信号１及び入力信号２が入力されるものとする。この入力信号１及び入力信号２は、デコーダ制御部１０３の制御により時分割で切り替えられる。また、この入力信号１及び入力信号２は、所定サイズの入力ブロックに分割されて入力される。このサイズは、例えば、記録媒体からの読み出しサイズである。
【００７６】
デコーダ制御部１０３は、スイッチ１０１に対し、入力信号１が選択されるよう１側に切り替えさせる切り替え制御信号を発行したときには、ストリーム情報付加部１０２に対し、スイッチ１０１からの信号の先頭にビデオ用のストリーム情報を付加させる入力識別信号を発行する。また、スイッチ１０１に対し、入力信号２が選択されるよう２側に切り替えさせる切り替え制御信号を発行したときには、ストリーム情報付加部１０２に対し、スイッチ１０１からの信号の先頭にオーディオ用のストリーム情報を付加させる入力識別信号を発行する。
【００７７】
以下に、信号再生方法について説明する。
図３は、本発明の実施の形態１に係る信号再生装置のデコーダ制御部の動作を説明するための図であり、図４は、本発明の実施の形態１に係る信号再生装置のデコーダに入力される信号のデータ配列の例を示す模式図であり、図５は、本発明の実施の形態１に係る信号再生装置のデータ分割部の動作を説明するための図である。
【００７８】
まず、図３を用いてデコーダ制御部１０３の動作について説明する。
デコーダ制御部１０３がスイッチ１０１を１側に切り替えさせることにより、ストリーム情報付加部１０２には入力信号１のＶ０が入力される（ステップ１）。ストリーム情報付加部１０２は、ファイルの先頭にビデオ用ストリーム情報を付加し、デコーダ１００に出力する（ステップ２）。デコーダ制御部１０３がスイッチ１０１を２側に切り替えさせることにより、ストリーム情報付加部１０２には入力信号２のＡ０が入力される（ステップ３）。ストリーム情報付加部１０２は、ファイルの先頭にオーディオ用ストリーム情報を付加し、デコーダ１００に出力する（ステップ４）。この処理が、入力信号１及び入力信号２が終わるまで繰り返される。この処理によってビデオ信号とオーディオ信号とが多重化された、デコーダ１００への入力信号の例を図４に示す。ここで、ストリーム情報付加部１０２で付加されるストリーム情報は、３２ビットのユニークなシンボルとし、ビデオ用のストリーム情報を「0x000001FA」、オーディオ用のストリーム情報を「0x000001FB」とする。また、デコーダ１００には、デコーダ制御部１０３からの入力信号情報により、ストリーム情報が付加された信号を入力とする通知がなされるものとする。
【００７９】
次に、図５を用いてデータ分割部１０４の動作を説明する。ここで、デコーダ１００へは、図４に示される信号が入力されるものとする。
【００８０】
データ分割部１０４は、入力信号をパーシングして、ビデオバッファ１０５あるいはオーディオバッファ１０６に格納する。
【００８１】
データ分割部１０４は、入力信号を先頭からパーシングしており、３２ビットの「0x000001FA」または「0x000001FB」をサーチする。「0x000001FA」を検出すると（１）、それ以降の信号Ｖ０はビデオ信号であると判断する。そして、再び「0x000001FA」または「0x000001FB」のサーチを開始しつつ、信号Ｖ０をビデオバッファ１０５に出力する（２）。また、「0x000001FB」を検出すると（３）、それ以降の信号Ａ０はオーディオ信号であると判断する。そして、再び、「0x000001FA」または「0x000001FB」のサーチを開始しつつ、信号Ａ０をオーディオバッファ１０６に出力する（４）。データ分割部１０４は、以上の動作を入力が終わるまで継続する。
【００８２】
ビデオ復号化部１０７は、ビデオバッファ１０５に格納された入力信号を復号化処理して、ビデオ復号化信号を生成し、ビデオ出力部１０９に出力する。そして、ビデオ出力部１０９は、ビデオ復号化信号を出力する。また、ビデオ復号化部１０７は、ビデオの出力タイミングを管理しており、１フレーム出力時間が完了したら、次に表示するビデオ復号化信号をビデオ出力部１０９に出力する。
【００８３】
オーディオ復号化部１０８は、オーディオバッファに格納されたデータを復号化処理し、オーディオ復号化信号を生成し、オーディオ出力部１１０に出力する。そして、オーディオ出力部１１０は、オーディオ復号化信号を出力する。また、オーディオ復号化部１０８はオーディオの出力タイミングを管理しており、１フレーム出力時間が完了したら、次に出力するオーディオ復号化信号をオーディオ出力部１１０に出力する。
【００８４】
本実施の形態１に係る信号再生装置におけるデコーダ制御部１０３は、時分割でスイッチ１０１を切り替えるとともに、後段のビデオバッファ１０５あるいはオーディオバッファ１０６がオーバーフローやアンダーフローにしないように制御する。
【００８５】
図６に、入力信号が入力されてから復号化信号が出力されるまでの動作の一例を示す。図６に示されるように、デコーダ制御部１０３は、例えば、ビデオバッファ１０５への入力をしようとするときビデオバッファ１０５のデータ量がオーバーフロー閾値を越えている場合は、ビデオバッファ１０５の入力を行わない。また、このとき、オーディオバッファ１０６がオーバーフロー閾値を越えていない場合は、オーディオバッファ１０６へのデータ入力を続ける。
【００８６】
また、逆に、何れかのバッファのデータ残量がアンダーフロー閾値以下になっている場合、デコーダ制御部１０３は、アンダーフローしているバッファに優先してデータが入力されるように、スイッチ１０１を制御する。
【００８７】
このように、本実施の形態１に係る信号再生方法及び信号再生装置は、ビデオ信号とオーディオ信号とを多重化し、その際に、各信号の種類を判別することのできるユニークなストリーム情報を挿入し、そのストリーム情報に基づいて、多重化された信号のうち、ビデオ信号はビデオ復号化部で、オーディオ信号はオーディオ復号化部で、それぞれ復号化処理が行なわれるようにしたので、それぞれが独立したビデオ信号とオーディオ信号とを同時に再生し出力することができる。
【００８８】
また、本発明の実施の形態１に係る信号再生装置は、入力信号１及び入力信号２の信号を時分割で入力し、ストリーム情報付加部１０２でストリーム情報を付加して入力信号を多重させたが、例えば、図１１（１）、（２）、（３）に示すようなビデオ信号のみの信号、オーディオ信号のみの信号、あるいはビデオ信号及びオーディオ信号があらかじめ多重化されている信号についても処理できることはいうまでもない。
【００８９】
例えば、上記のいずれかの信号を入力信号１から入力するとき、デコーダ制御部１０３は、スイッチ１０１を入力信号１に切り替えるように制御し、そして、ストリーム情報付加部１０２では入力された信号に対してストリーム情報を付加せずそのままデコーダ１００に出力するようにするとよい。そして、入力信号がビデオ信号のみの場合、デコーダ１００には、デコーダ制御部１０３からの入力信号情報により、ビデオエレメンタリストリームが入力されると通知され、ビデオ復号化部１０７でビデオ信号が復号され、ビデオ出力部１０９により出力される。また、入力信号がオーディオ信号のみの場合、デコーダ１００には、デコーダ制御部１０３からの入力信号情報により、オーディオエレメンタリストリームが入力されると通知され、オーディオ復号化部１０８でオーディオ信号が復号され、オーディオ出力部１１０により出力される。また、ビデオ信号及びオーディオ信号があらかじめ多重化されている場合、デコーダ１００には、デコーダ制御部１０３からの入力信号情報により、あらかじめ多重化されたストリームが入力されると通知され、データ分割部１０４は、入力信号のパックヘッダに基づいて、各入力信号がビデオ信号かオーディオ信号かを判別する。そして、該判別した各入力信号をビデオ復号化部１０７及びオーディオ復号化部１０８によりそれぞれ復号化処理し、ビデオ出力部１０９及びオーディオ出力部１１０により復号化したビデオ信号及びオーディオ信号を同時に再生し出力する。
【００９０】
このように、本実施の形態に係る信号再生装置は、ストリーム付加部で付加することにより多重化した複数の信号だけでなく、あらかじめ多重化された複数の信号についても同時に再生することができる。
【００９１】
なお、本実施の形態１において、上述したような１つの信号のみの信号、またはあらかじめ多重化された複数の信号が入力された場合、ストリーム情報付加部１０２でストリーム情報を付加せずにデコーダ１００に入力するようにしたが、このような信号が入力された場合、ストリーム情報付加部１０２を経由せず直接デコーダ１００に入力するような構成にしてもよい。
【００９２】
以上のような、本発明の実施の形態１に係る信号再生装置は、入力信号１、及び入力信号２の２系統から、それぞれ独立した信号であるビデオ信号、及びオーディオ信号が入力されたとき、デコーダ制御部１０３によりスイッチ１０１を制御して、各入力信号を時分割に切り替え、該時分割した各入力信号にストリーム情報付加部１０２で各入力信号に対応するストリーム情報を付加し、データ分割部１０４で各入力信号を、該各入力信号に付加されたそれぞれのストリーム情報に対応する復号化方法で復号化処理するよう分割出力したので、あらかじめ多重化された信号だけでなく、Ｎ個（Ｎ≧２）のそれぞれ独立した信号を同時に再生し出力することができる。
【００９３】
なお、本実施の形態１では、ストリーム情報として「0x000001FA」及び「0x000001FB」を用いて説明した。これはＭＰＥＧシステムス規格（ＩＳＯ／ＩＥＣ  １３８１８−１）で規定されるヘッダのうち、リザーブになっているものを選択したものであり、これを用いると、ビデオ信号やオーディオ信号から誤ってストリーム情報を検出することを防げるためであるが、ストリーム情報は、この「0x000001FA」及び「0x000001FB」のデータに限るものではない。
【００９４】
また、本実施の形態１では、入力信号をビデオ信号とオーディオ信号とであるものとし、復号化処理をビデオ復号化部とオーディオ復号化部とで行なう場合の例を示したが、これに限るものではない。さらに、本実施の形態１では、入力信号が２つの場合の例を示したが、２つに限るものではなく、Ｎ（Ｎ≧２）個の入力信号についても同様の効果が得られる。この場合、データ分割部でＮ個のユニークなストリーム情報を検出できるようにすれば、Ｎ個の入力信号を同時に再生し出力することが可能になる。
【００９５】
また、例えば、ＭＰＥＧ符号化方式で圧縮されたビデオ信号とＪＰＥＧ符号化方式で圧縮された静止画のビデオ信号とを入力信号としてもよい。この場合、復号化部として、ＭＰＥＧビデオデコーダとＪＰＥＧデコーダとを用いるようにする。また、２つの独立したＭＰＥＧ符号化方式で圧縮されたビデオ信号を入力信号としてもよい。この場合は、復号化部としてＭＰＥＧビデオデコーダを用いて、２つの信号を時分割で処理するように制御すればよい。また、複数のオーディオ信号を入力とした場合でも、同様の効果が得られる。また、ＭＰＥＧ符号化方式で圧縮されたビデオ信号とＪＰＥＧ符号化方式で圧縮された静止画のビデオ信号とオーディオ信号とを入力信号としてもよい。このように、データ分割部で入力信号分のストリーム情報を検出できるようにすれば、入力信号の種類や符号化方法にかかわらず、複数の入力信号を同時に再生し出力することが可能になる。
【００９６】
また、本実施の形態１では、デコーダ制御部が、所定サイズの入力ブロック毎にスイッチを切り替えさせる例を示した。そして、特に、所定サイズとして、記録媒体からの読み出しサイズで決定する例を示したが、これに限るものではない。例えば、入力信号にオーディオ信号が含まれる場合に、オーディオ出力部からオーディオ信号が途切れることなく出力されるように、入力ブロックのサイズを決定するようにしたり、複数の静止画（静止画１、静止画２、・・・の順で再生）を表示期間Ｔでスライドショー表示させながらＢＧＭとしてオーディオを再生する場合に、ビデオ信号の再生が表示期間Ｔで終わり、かつオーディオ信号は連続的に再生されるように、それぞれ入力ブロックサイズを決定するようにしてもよい。また、入力ブロックのサイズではなく、時間によってスイッチを切り替えさせるようにしてもよい。
【００９７】
また、記録媒体は、光ディスク、光磁気ディスク、磁気ディスクあるいは半導体メモリのいずれでも構わない。例えば、記録媒体を、光ディスクとし、それぞれ独立した任意のビデオ信号と任意のオーディオ信号とを同時に再生させる場合、図７のような構成にしてもよい。このとき、図１に示したスイッチ部１０１により、入力する信号を切り替え選択する代わりに、データ読み出し部７０１におけるデータの読み出しを、デコーダ制御部により時分割で行い、入力する信号を切り替え選択するとよい。また、光ディスクから再生される信号の例を図８（１）、（２）に示す。入力信号１及び入力信号２は、デコーダ制御部１０３の制御により時分割で切り替えられる。
【００９８】
図８（１）は、入力信号の読み出し単位を説明する図であり、図８（２）は、ディスク読み出し部７０１が光ディスクから読み出し、ストリーム情報付加部１０２へ出力する信号列を説明する図である。
【００９９】
光ディスクには、入力信号１および入力信号２が記録されている。本実施の形態１では、入力信号１をビデオ信号、入力信号２をオーディオ信号とし、光ディスクを例えばＣＤ（Compact Disk）とする。ディスク読み出し部７０１は、デコーダ制御部１０３からの制御信号により、読み出し位置まで移動して、光ディスクから信号を所定のデータ量分読み出す。
【０１００】
図８（１）に示すように、光ディスクに記録された信号は、セクタという単位に分割して記録されている。ディスク読み出し部７０１は、複数のセクタから構成される読み出し単位で読み出す。図８において、所定のデータ量として、ビデオ信号は１０セクタを、オーディオ信号は５セクタを読み出し単位とする。これは、ビデオ信号は、オーディオ信号と比べてデータサイズが大きいため、ビデオ信号の読み出しサイズを大きく設定したものである。そして、図８（２）に示す信号列がストリーム情報付加部１０２に入力される。ストリーム情報付加部１０２からの処理は、上述した処理と同様に行う。
【０１０１】
なお、本実施の形態１では記録媒体から入力したそれぞれ独立したＮ個のデータを同時に再生するようにしたが、外部からそれぞれ独立したＮ個の入力信号を入力した場合でも本発明は有効である。例えば、図１と同様の構成とし、バッファ１１１及びバッファ１１２に入力信号を格納して、入力信号の読み出し単位を入力パケットの倍数で決定するようにし、デコーダ制御部１０３によりＮ個の各入力信号を時分割に切り替えるようにするとよい。
【０１０２】
また、本実施の形態１では、ストリーム情報は、信号がビデオ信号であるかオーディオ信号であるかを識別するものを例としてあげたが、これに限るものではなく、複数の異なる符号化方法で符号化されたビデオ信号を入力信号とする場合は、その符号化方法が判別できるものであればよい。さらに、ビデオ信号かオーディオ信号かを識別するもの、あるいは符号化方法を判別できるものに加えて、ストリーム情報に入力信号の出力タイミングを決定する時間情報を付加するようにしてもよい。例えば、入力信号が固定レートで符号化されたオーディオ信号とビデオ信号とである場合、所定サイズ毎に時間情報を付加し、各入力信号が各復号化部で復号化処理される際に、ストリーム情報に付加された時間情報に従って各出力部へ出力されるように制御すれば、別々のオーディオ信号とビデオ信号とであっても、同期再生を行なうことが可能になる。なお、このときは、ビデオ復号化部及びオーディオ復号化部に、ストリーム情報に基づいてビデオ出力部及びオーディオ出力部への出力を制御するための仕組みを追加する必要がある。
【０１０３】
また、複数の静止画（静止画１、静止画２、・・・の順で再生）をスライドショー表示させながら、ＢＧＭとしてオーディオを再生する場合を考える。静止画１の最初の入力ブロックのストリーム情報に、そのフレームの表示期間Ｔの情報を挿入する。
【０１０４】
例えば、図９の動作図に示すように、デコーダ制御部１０３は、まず、静止画１のデータを入力する。ビデオ復号化部１０７は、静止画１を復号化処理し、ビデオ出力部へ入力する。そして、ビデオ出力部から、静止画１が出力される。次に、デコーダ制御部は、オーディオデータ入力を優先させる。オーディオ復号化部１０８はバッファに入力されるオーディオデータを復号化処理し、出力する。また、デコーダ制御部１０３は、静止画１の表示時間Ｔが終わるまでに、静止画２のデータ入力を行い、ビデオ復号化部１０７は、ビデオバッファ１０５にデータが入力されると復号化処理を開始する。この間、ビデオ復号化部１０７は、静止画１の表示時間を監視しておき、表示時間が完了したら、次に表示する静止画２がある場合は、表示を切り替えるため、静止画２をビデオ出力部１０９へ出力する。
【産業上の利用可能性】
【０１０５】
以上のように、本発明に係る信号再生方法、及び信号再生装置は、光ディスクや光磁気ディスク、磁気ディスク、半導体メモリ等に記録されたビデオ信号やオーディオ信号等のデジタル信号を再生する装置として有用である。
【図面の簡単な説明】
【０１０６】
【図１】本発明の実施の形態１に係る信号再生装置のブロック図である。
【図２】本発明の実施の形態１に係る信号再生装置のスイッチに入力される信号のデータ配列の例を示す模式図である。
【図３】本発明の実施の形態１に係る信号再生装置のデコーダ制御部の動作を説明するための図である。
【図４】本発明の実施の形態１に係る信号再生装置のデコーダに入力される信号のデータ配列の例を示す模式図である。
【図５】本発明の実施の形態１に係る信号再生装置のデータ分割部の動作を説明するための図である。
【図６】本発明の実施の形態１に係る信号再生装置において、入力信号が入力されてから復号化信号が出力されるまでの動作図である。
【図７】本発明の実施の形態１に係る信号再生装置において、光ディスクに記録された入力信号を時分割で読み出す例を示すブロック図である。
【図８】図７に示す信号再生装置において、ディスク読み出し部が読み出す入力信号の単位を示す図である。
【図９】本発明の実施の形態１に係る信号再生装置において、複数の静止画をスライドショー表示させながら、ＢＧＭとしてオーディオを再生する場合の動作図である。
【図１０】従来の信号再生装置のデコーダのブロック図である。
【図１１】デコーダに入力される入力信号のデータ配列の例を示す模式図である。
【符号の説明】
【０１０７】
１００  デコーダ
１０１  スイッチ
１０２  ストリーム情報付加部
１０３  デコーダ制御部
１０４  データ分割部
１０５  ビデオバッファ
１０６  オーディオバッファ
１０７  ビデオ復号化部
１０８  オーディオ復号化部
１０９  ビデオ出力部
１１０  オーディオ出力部
１１１  入力信号１を格納するバッファ  
１１２  入力信号２を格納するバッファ
７０１  ディスク読み出し部
９００  デコーダ
９０２  データ分割部
９０３  ビデオバッファ
９０４  オーディオバッファ
９０５  ビデオ復号化部
９０６  オーディオ復号化部
９０７  ビデオ出力部
９０８  オーディオ出力部
【図１】
2005056550.tif 000003
【図２】
2005056550.tif 000004
【図３】
2005056550.tif 000005
【図４】
2005056550.tif 000006
【図５】
2005056550.tif 000007
【図６】
2005056550.tif 000008
【図７】
2005056550.tif 000009
【図８】
2005056550.tif 000010
【図９】
2005056550.tif 000011
【図１０】
2005056550.tif 000012
【図１１】
2005056550.tif 000013